(57)【特許請求の範囲】
【請求項１】
ファイバホルダ（１３）に固定された状態の光ファイバ（１２）の被覆材（１２ｂ）を除去する光ファイバ被覆除去器（１１）であって、
光ファイバをその径方向に位置決めした状態で支持可能なベース（１９）と、該ベースの一端にヒンジ結合された可動支持体（２１）と、前記ベースの前記可動支持体に対する結合部に対し反対側に設けられて、ファイバホルダを上側に着脱自在に保持するとともに、装着状態で、該ファイバホルダをベースに対し、一方向に沿って近接・離間可能とするホルダ保持体（２２）と、を有し、前記ベースと前記可動支持体との間には、ベースに対して可動支持体を所定角度開いた状態となるように付勢するスプリング（２７）が設けられ、
前記可動支持体のホルダ保持体側には、前記ベースに径方向に位置決め支持された光ファイバの被覆材のみをベースのホルダ保持体側に設けられた切断部材（２５）との間で切断可能な対をなす可動切断部材（３０）が、ベースに対し近接・離間可能に支持され、前記一方向は、前記切断部材および前記可動切断部材により光ファイバの被覆材を切断する位置と前記結合部とを通る軸線方向と同じ方向であり、
前記ファイバホルダ（１３）は、略直方体形状の基台（１５）と該基台（１５）上の面部（１５ａ）に対し開閉自在となるようヒンジ結合された二つの板状の開閉部材（１６，１６）とを有し、両開閉部材（１６，１６）は、前記基台（１５）に対して閉じることで、基台（１５）の面部（１５ａ）の幅方向における中央位置に全長さ方向に延在する溝に嵌合させた光ファイバ（１２）を固定でき、
前記ホルダ保持体を前記ベースに当接させ、あるいは前記ベースに対し離間させた位置に位置決めした状態で、前記ベースおよび前記可動支持体を把持することにより、光ファイバの径方向の位置が調心位置決めされ、この状態で光ファイバの被覆材のみを切断し、その後、把持状態のまま前記ホルダ保持体を、光ファイバの端部が前記切断部材および可動切断部材から離れるまで離間させて光ファイバから被覆材を除去することを特徴とする光ファイバ被覆除去器。
【請求項２】
ファイバホルダ（１３）に固定された状態の光ファイバ（１２）の被覆材（１２ｂ）を除去する光ファイバ被覆除去器（１１）であって、
光ファイバをその径方向に位置決めした状態で支持可能な略長方形状のベース（１９）と、該ベースの一端にヒンジ結合された略長方形状の可動支持体（２１）と、前記ベースの前記可動支持体に対する結合部に対し反対側に設けられて、ファイバホルダを着脱自在に保持するとともに、装着状態で、該ファイバホルダをベースに対し、一方向に延びるガイド棒により前記一方向に沿って近接・離間可能とするホルダ保持体（２２）と、を有し、前記ベースと前記可動支持体との間には、ベースに対して可動支持体を所定角度開いた状態となるように付勢するスプリング（２７）が設けられ、
前記可動支持体のホルダ保持体側には、前記ベースに径方向に位置決め支持された光ファイバの被覆材のみをベースのホルダ保持体側に設けられた切断部材（２５）との間で切断可能な対をなす可動切断部材（３０）が、ベースに対し近接・離間可能に支持され、前記一方向は、前記切断部材および前記可動切断部材により光ファイバの被覆材を切断する位置と前記結合部とを通る軸線方向と同じ方向であり、
前記ファイバホルダ（１３）は、略直方体形状の基台（１５）と該基台（１５）上の面部（１５ａ）に対し開閉自在となるようヒンジ結合された二つの板状の開閉部材（１６，１６）とを有し、両開閉部材（１６，１６）は、前記基台（１５）に対して閉じることで、基台（１５）の面部（１５ａ）の幅方向における中央位置に全長さ方向に延在する溝に嵌合させた光ファイバ（１２）を固定でき、
前記ホルダ保持体を前記ベースに当接させ、あるいは前記ベースに対し離間させた位置に位置決めした状態で、前記ベースおよび前記可動支持体を把持することにより、光ファイバの径方向の位置が調心位置決めされ、この状態で光ファイバの被覆材のみを切断し、その後、把持状態のまま前記ホルダ保持体を、前記ガイド棒により前記一方向に沿って光ファイバの端部が前記切断部材および可動切断部材から離れるまで離間させて光ファイバから被覆材を除去することを特徴とする光ファイバ被覆除去器。
【請求項３】
前記切断部材および前記可動切断部材には、それぞれ光ファイバの被覆材の内径とほぼ等しい半円状の刃部が形成されていることを特徴とする請求項１又は２記載の光ファイバ被覆除去器。
【発明の詳細な説明】
【０００１】
【発明の属する技術分野】
本発明は、光ファイバの被覆材を除去する光ファイバ被覆除去器に関する。
【０００２】
【従来の技術】
光ファイバの被覆材を除去する光ファイバ被覆除去器に関して、本出願人は、先の出願を行っている（特願平７−３１３２４８号等）。
この光ファイバ被覆除去器は、設置した位置決めブロックに光ファイバ先端を突き当てることにより被覆除去カッタに対する光ファイバ先端の位置決めを行い、この状態でカッタを光ファイバに切り込ませた後、光ファイバを引き抜くことで、カッタの切り込み位置から光ファイバ先端側に所定の除去長の被覆除去部分を得るように構成されている。
【０００３】
【発明が解決しようとする課題】
ところで、被覆除去の後工程である他の光ファイバ心線への接続時において、ファイバホルダの規定位置へのセットで、光ファイバの被覆除去部分である接続端を最も接続に適した位置に配置する接続器（図示略）を用いることを考えた。しかしながら、従来の光ファイバ被覆除去器は、ファイバホルダに対する被覆除去部分の位置関係を規定するものではなく、よって、上記のような接続器を用いるためには、被覆除去の後に、ファイバホルダに対する被覆除去部分の位置を合わせる等の煩雑な作業が必要となってしまうため、この点でさらなる改善の余地があった。
したがって、本発明の目的は、ファイバホルダに対し被覆除去部分を正確に位置決めしつつ形成することができる光ファイバ被覆除去器を提供することである。
【０００４】
【課題を解決するための手段】
上記目的を達成するため、本発明の請求項１記載の光ファイバ被覆除去器は、ファイバホルダに固定された状態の光ファイバの被覆材を除去する光ファイバ被覆除去器であって、光ファイバをその径方向に位置決めした状態で支持可能なベースと、該ベースの一端にヒンジ結合された可動支持体と、前記ベースの前記可動支持体に対する結合部に対し反対側に設けられて、ファイバホルダを上側に着脱自在に保持するとともに、装着状態で、該ファイバホルダをベースに対し、一方向に沿って近接・離間可能とするホルダ保持体と、を有し、前記ベースと前記可動支持体との間には、ベースに対して可動支持体を所定角度開いた状態となるように付勢するスプリングが設けられ、前記可動支持体のホルダ保持体側には、前記ベースに径方向に位置決め支持された光ファイバの被覆材のみをベースのホルダ保持体側に設けられた切断部材との間で切断可能な対をなす可動切断部材が、ベースに対し近接・離間可能に支持され、前記一方向は、前記切断部材および前記可動切断部材により光ファイバの被覆材を切断する位置と前記結合部とを通る軸線方向と同じ方向であり、前記ファイバホルダは、略直方体形状の基台と該基台上の面部に対し開閉自在となるようヒンジ結合された二つの板状の開閉部材とを有し、両開閉部材は、前記基台に対して閉じることで、基台の面部の幅方向における中央位置に全長さ方向に延在する溝に嵌合させた光ファイバを固定でき、前記ホルダ保持体を前記ベースに当接させ、あるいは前記ベースに対し離間させた位置に位置決めした状態で、前記ベースおよび前記可動支持体を把持することにより、光ファイバの径方向の位置が調心位置決めされ、この状態で光ファイバの被覆材のみを切断し、その後、把持状態のまま前記ホルダ保持体を、光ファイバの端部が前記切断部材および可動切断部材から離れるまで離間させて光ファイバから被覆材を除去することを特徴としている。
本発明の請求項２記載の光ファイバ被覆除去器は、ファイバホルダに固定された状態の光ファイバの被覆材を除去する光ファイバ被覆除去器であって、光ファイバをその径方向に位置決めした状態で支持可能な略長方形状のベースと、該ベースの一端にヒンジ結合された略長方形状の可動支持体と、前記ベースの前記可動支持体に対する結合部に対し反対側に設けられて、ファイバホルダを着脱自在に保持するとともに、装着状態で、該ファイバホルダをベースに対し、一方向に延びるガイド棒により前記一方向に沿って近接・離間可能とするホルダ保持体と、を有し、前記ベースと前記可動支持体との間には、ベースに対して可動支持体を所定角度開いた状態となるように付勢するスプリングが設けられ、前記可動支持体のホルダ保持体側には、前記ベースに径方向に位置決め支持された光ファイバの被覆材のみをベースのホルダ保持体側に設けられた切断部材との間で切断可能な対をなす可動切断部材が、ベースに対し近接・離間可能に支持され、前記一方向は、前記切断部材および前記可動切断部材により光ファイバの被覆材を切断する位置と前記結合部とを通る軸線方向と同じ方向であり、前記ファイバホルダは、略直方体形状の基台と該基台上の面部に対し開閉自在となるようヒンジ結合された二つの板状の開閉部材とを有し、両開閉部材は、前記基台に対して閉じることで、基台の面部の幅方向における中央位置に全長さ方向に延在する溝に嵌合させた光ファイバを固定でき、前記ホルダ保持体を前記ベースに当接させ、あるいは前記ベースに対し離間させた位置に位置決めした状態で、前記ベースおよび前記可動支持体を把持することにより、光ファイバの径方向の位置が調心位置決めされ、この状態で光ファイバの被覆材のみを切断し、その後、把持状態のまま前記ホルダ保持体を、前記ガイド棒により前記一方向に沿って光ファイバの端部が前記切断部材および可動切断部材から離れるまで離間させて光ファイバから被覆材を除去することを特徴としている。
これにより、光ファイバが固定された状態のファイバホルダを、ホルダ保持体に保持させ、かつホルダ保持体を例えばベースに当接させた状態とすることで、ファイバホルダに対する切断部材および可動切断部材による切断位置すなわち被覆除去の開始位置が決まる。よって、予めファイバカッタによる切断で光ファイバのファイバホルダからの突出長を決めておくことにより、ベースに支持された光ファイバの被覆材を切断部材および可動切断部材により切断しその後ホルダ保持体をファイバホルダとともにベースから離間させて被覆材を除去させると、ファイバホルダに対し位置決めされた状態で所望の被覆除去部分が得られる。
【０００５】
本発明の請求項３記載の光ファイバ被覆除去器は、上記に加えて、前記切断部材および前記可動切断部材には、それぞれ光ファイバの被覆材の内径とほぼ等しい半円状の刃部が形成されていることを特徴とする。
【０００６】
【発明の実施の形態】
本発明の一の実施の形態を図面を参照して以下に説明する。
図において、符号１１は、この実施の形態の光ファイバ被覆除去器を、符号１２は、光ファイバ心線（光ファイバ）を、符号１３は、光ファイバ心線１２に取り付けられるファイバホルダを、それぞれ示している。
ここで、光ファイバ心線１２は、裸ファイバ１２ａの周囲を被覆材１２ｂで被覆してなるものである（図３参照）。
【０００７】
ファイバホルダ１３は、略直方体形状の基台１５と該基台１５の一の面部１５ａに対し開閉自在となるようヒンジ結合された二つの板状の開閉部材１６，１６とを有している。基台１５の面部１５ａの幅方向における中央位置に全長さ方向に延在して図示せぬ溝が形成されている。このファイバホルダ１３は、両開閉部材１６，１６を面部１５ａに対し開かせた状態で、溝に光ファイバ心線１２を直線状に嵌合させ、その後、両開閉部材１６，１６を閉じることで光ファイバ心線１２に対し固定される。ここで、この固定状態において、光ファイバ心線１２の固定部分における軸線方向、言い換えればファイバホルダ１３からの突出方向がファイバホルダ１３の長さ方向に一致させられる。
なお、ファイバホルダ１３の長さ方向における両端の幅方向における中央には、それぞれ面部１５ａ側に直方体形状の突起１７，１７が形成されている。
【０００８】
光ファイバ被覆除去器１１は、略長方形板状のベース１９と、該ベース１９の長さ方向における一端の結合部２０に所定の角度範囲で開閉自在となるようその一端側がヒンジ結合された略長方形板状の可動支持体２１と、ベース１９の結合部２０に対し反対側に設けられたホルダ保持体２２とを有している。
ベース１９のホルダ保持体２２側には、長さ方向に直交して四つのガイド体２３Ａ，２３Ｂ，２３Ｃ，２３Ｄが形成されている。最も結合部２０側のガイド体２３Ｄとそのホルダ保持体２２側に隣り合うガイド体２３Ｃとは互いに所定の間隔をあけており、該ガイド体２３Ｃとそのホルダ保持体２２側に隣り合うガイド体２３Ｂとは前記間隔より大きい間隔をあけている。さらに該ガイド体２３Ｂと最もホルダ保持体２２側のガイド体２３Ａとは、ガイド体２３Ｃ，２３Ｄ間の間隔と等しく離間されている。なお、ベース１９のホルダ保持体２２側の端面１９ａは、可動支持体２１側（図１および図２における上側）まで延在してガイド体２３Ａのホルダ保持体２２側の端面をも構成している。
【０００９】
ガイド体２３Ａ〜２３Ｄには、それぞれ、ベース１９の幅方向における中央が最も凹むＶ字状の溝２４が、ベース１９の幅方向および高さ方向の位置をすべて一致させて形成されている。ここで、これらの溝２４，２４，…に光ファイバ心線１２を載置させると、そのＶ字形状で案内されて光ファイバ心線１２がベース１９の長さ方向に平行するようにその径方向に調心位置決めされて支持されることになる。このように、ベース１９は、光ファイバ心線１２をその径方向に位置決めした状態で支持可能となっている。
ガイド体２３Ｂとガイド体２３Ｃとの間には、可動支持体２１の方向に切断部材２５が突設されている。
【００１０】
ベース１９および可動支持体２１の結合部２０側には、それぞれ、円筒状の筒部２６が形成されており、これら筒部２６，２６にはスプリング２７が挿入されている。これにより、スプリング２７の付勢力で可動支持体２１は、ベース１９に対し所定角度開いた状態となるよう付勢される。
可動支持体２１の結合部２０に対し反対側には、ベース１９に対し近接する閉時において、ガイド体２３Ａとガイド体２３Ｂとの間の隙間およびガイド体２３Ｃとガイド体２３Ｄとの間に入り込む板状の規制体２９Ａおよび規制体２９Ｂがベース１９方向に形成されている。これら規制体２９Ａ，２９Ｂは、可動支持体２１がベース１９に重なり合った閉状態において、ガイド体２３Ａ〜２３ＤのＶ字状の溝２４，２４，…に支持された光ファイバ心線１２の可動支持体２１方向への移動を規制する。
規制体２９Ａと規制体２９Ｂとの間には、ベース１９の方向に可動切断部材３０が突設されており、よって、可動支持体２１は、可動切断部材３０をベース１９に対し近接・離間可能に支持している。
【００１１】
ベース１９の切断部材２５と可動支持体２１の可動切断部材３０とは、ベース１９と可動支持体２１とが重なり合った閉状態において、ガイド体２３Ａ〜２３ＤのＶ字状の溝２４，２４，…に径方向の位置決めがなされた光ファイバ心線１２の被覆材１２ｂのみを両側から切断可能な対をなしている。切断部材２５および可動切断部材３０には、それぞれ光ファイバ心線１２の被覆材１２ｂの内径（裸ファイバ１２ａの外径）とほぼ等しい半円状の図示せぬ刃部が形成されており、これら刃部は、ベース１９と可動支持体２１とを重ね合わせた際に内側に被覆材１２ｂの内径とほぼ一致しかつ同軸をなすクリアランスを形成して裸ファイバ１２ａに傷を付けることなく被覆材１２ｂのみを切断するようになっている。
【００１２】
ベース１９のホルダ保持体２２側には、幅方向の両側位置に、長さ方向に沿って複数具体的には二カ所の嵌合穴３２，３２がそれぞれ穿設されており、これら嵌合穴３２，３２には、それぞれガイド棒３３，３３がその一端側において軸線方向のみ移動自在となるよう嵌合されている。そして、これらガイド棒３３，３３の他端側にホルダ保持体２２が固定されている。ここで、これらのガイド棒３３，３３および嵌合穴３２，３２は、ガイド棒３３，３３が嵌合穴３２，３２に対し、作業者の手による程度の外力付与で移動し、該外力付与の解除で嵌合穴３２，３２に対し位置が固定されるように嵌合力が設定されている。
【００１３】
ホルダ保持体２２は、図４に示すように、略長方形板状をなすとともに長さ方向の一側に該長さ方向に沿って両ガイド棒３３，３３が固定される基板部３５と、該基板部３５の長さ方向における両端部に、基板部３５に対し垂直をなして可動支持体２１側に延出するよう形成された係止部３６，３６とを有しており、両係止部３６，３６には、基板部３５に対し反対側（図４における上側）に凹部３７，３７がそれぞれ形成されている。
このホルダ保持体２２には、光ファイバ心線１２に固定状態とされたファイバホルダ１３が、両係止部３６，３６の延出方向に対し反対方向に移動させられて、両係止部３６，３６間に、開閉部材１６に対し反対側の面部１５ｂを基板部３５に当接させるまで嵌合される。このとき、係止部３６，３６の凹部３７，３７にファイバホルダ１３の突起１７，１７がそれぞれ嵌合されることになる。
【００１４】
ここで、この嵌合状態において、ファイバホルダ１３は、ホルダ保持体２２に対し、両係止部３６，３６でガイド棒３３の軸線方向における移動が規制され、各突起１７，１７の各凹部３７，３７へのそれぞれ嵌合で両ガイド棒３３，３３を結ぶ方向の移動が規制される。なお、ファイバホルダ１３は、係止部３６，３６の延出方向（図１における上方）への移動は許容されていて、この方向へ移動させることにより嵌合が解除される。ここで、ホルダ保持体２２およびファイバホルダ１３は、ホルダ保持体２２に対するファイバホルダ１３の嵌合および嵌合解除を作業者の手による程度の外力付与で行え、該外力付与の解除で嵌合状態が維持されるように嵌合力が設定されている。
【００１５】
そして、上記のようにホルダ保持体２２に嵌合保持された状態において、ファイバホルダ１３は、固定支持した光ファイバ心線１２の突出部分の軸線を、ガイド棒３３，３３の軸線と平行させ、ガイド体２３Ａ〜２３Ｄで調心支持される際の軸線と一致させるようになっている。
以上により、ホルダ保持体２２は、ファイバホルダ１３を着脱自在に保持するとともに、装着状態において、該ファイバホルダ１３をベース１９に対し、固定された光ファイバ心線１２の径方向に位置決めしかつ該光ファイバ心線１２の軸線方向すなわちファイバホルダ１３からの突出方向に沿ってのみ近接・離間可能とすることになる。
【００１６】
次に、以上に述べた構成の光ファイバ被覆除去器１１を用いた作業について順に説明する。
まず、ファイバホルダ１３の両開閉部材１６，１６を基台１５に対し開かせた状態で、光ファイバ心線１２を基台１５にセットし、両開閉部材１６，１６を閉じて光ファイバ心線１２をファイバホルダ１３に固定する。ここで、後工程である他の光ファイバ心線への接続時においては、ファイバホルダ１３から光ファイバ心線１２の接続端までの長さを予め定められた所定長さとすることにより、ファイバホルダ１３の規定位置へのセットで接続端を最も接続に適した位置に配置する接続器（図示略）を用いることになるため、このファイバホルダ１３の光ファイバ心線１２への固定時にファイバカッタ（図示略）による切断で光ファイバ心線１２のファイバホルダ１３からの突出長を前記所定長さとしておく。この切断においても、ファイバホルダ１３を規定位置へセットすることで突出長を設定長さにして切断を容易に行うことができるファイバカッタを用いることで対応する。
【００１７】
次に、ベース１９に対し可動支持体２１が開いた状態にある光ファイバ被覆除去器１１に対して、光ファイバ心線１２をベース１９のガイド体２３Ａ〜２３Ｄの溝２４，２４，…に載置させつつファイバホルダ１３をホルダ保持体２２に嵌合させる。ここで、ホルダ保持体２２をベース１９に当接させ、あるいはベース１９に対し予め定められた所定距離離間させた位置に位置決めしておく。これは、光ファイバ心線１２の被覆除去長として予め設定された所定長さを得るために、ファイバホルダ１３から切断部材２５および可動切断部材３０で被覆材１２ｂの切断を行う切断開始位置までの距離、すなわち光ファイバ心線１２のファイバホルダ１３からの突出部分における被覆材１２ｂの除去後の残存被覆長を予め設定された所定長さとするためである。
【００１８】
そして、ベース１９および可動支持体２１を把持することにより、可動支持体２１をベース１９に重なり合う閉状態とする。すると、光ファイバ心線１２がベース１９側のガイド体２３Ａ〜２３Ｃの溝２４，２４，…および可動支持体２１の規制体２９Ａ，２９Ｂで径方向の位置が調心位置決めされ、この状態で切断部材２５および可動切断部材３０で光ファイバ心線１２の外側の被覆材１２ｂのみ切断する。
その後、把持状態のまま、ホルダ保持体２２をファイバホルダ１３とともにベース１９からガイド棒３３の案内で、光ファイバ心線１２の端部が切断部材１５および可動切断部材３０から離れるまで離間させると、この間、被覆材１２ｂの切断位置より先端側が切断部材１５および可動切断部材３０で移動が規制されることで裸ファイバ１２ａが被覆材１２ｂから引き抜かれ、よって被覆材１２ｂが除去される。
以上のようにして被覆材１２ｂを所定の範囲で除去する。
【００１９】
ここで、上記のように、光ファイバ心線１２のファイバホルダ１３からの突出長が予め設定された所定長さとされており、また、切断部材２５および可動切断部材３０で被覆材１２ｂの切断を行う際にホルダ保持体２２をベース１９に対し位置決めしていて光ファイバ心線１２のファイバホルダ１３からの突出部分における残存被覆長が予め設定された所定長さとされているため、最終的に必要な被覆除去長が得られることになる（突出長−残存被覆長＝被覆除去長）。このようにして、必要な残存被覆長および被覆除去長が得られるため、被覆除去部分である裸ファイバ１２ａがファイバホルダ１３に対し正確に位置決めされた状態で得られることになる。
次に、このようにして被覆材１２ｂが除去された状態の光ファイバ心線１２を、ファイバホルダ１３に固定状態のまま、光ファイバ被覆除去器１１から取り外し、そのままファイバホルダ１３において図示せぬ接続器に装着させる。すると、上記したように、この接続器における最適な接続位置に、被覆材１２ｂが除去された裸ファイバ１２ａからなる接続端が位置することになる。そして、この接続器において光接続を行う。
【００２０】
以上のように、所定の突出長を得るための切断作業から接続作業までの全工程において、ファイバホルダ１３の移設で自動的に位置決めがなされることになるため、作業効率が大幅に向上することになる。
なお、上記のように被覆材１２ｂの除去前に光ファイバ心線１２のファイバホルダ１３からの突出長を予め設定された長さに調整するのではなく、例えばこれより明らかに長い突出長としておき、光ファイバ心線１２のファイバホルダ１３からの突出部分における残存被覆長を設定して被覆材１２ｂの除去を行った後に、突出長を調整するよう裸ファイバ１２ａを切断器で切断して被覆除去長を得てから接続器において接続することも勿論可能である。
また、ベース１９に長さ方向に沿って目盛を設けることも可能である。この目盛としては、光ファイバ心線１２の端位置に一致する目盛を読み取ると、端位置から切断部材２５および可動切断部材３０までの距離が得られるものや、端位置からベース１９に当接状態にあるホルダ保持体２２のファイバホルダ１３までの距離が得られるもの等を設けることができる。
さらに、例えば、ガイド棒３３に、ベース１９の端面１９ａの位置において読み取ることにより、ファイバホルダ１３から切断部材２５までの距離すなわち残存被覆長が得られる目盛を設けることも可能である。
加えて、潤滑剤を染み込ませた綿等の吸収材等を切断部材１５または可動切断部材３０の近傍に配置することにより、切断位置から先端側の被覆材１２ｂからの裸ファイバ１２ａの引き抜き時におけるこれらの間の潤滑性を高めて、被覆材１２ｂの除去の容易化を図ることもできる。
ここで、裸ファイバ１２ａに二重以上の被覆材を被覆してなる光ファイバに適用することもでき、この場合、切断部材１５および可動切断部材３０の形状により、予め定められた所定枚までの被覆材のみを除去したり、すべての被覆材を除去したりすることができる。
【００２１】
【発明の効果】
以上詳述したように、本発明の光ファイバ被覆除去器によれば、光ファイバが固定された状態のファイバホルダを、ホルダ保持体に保持させ、かつホルダ保持体を例えばベースに当接させた状態とすることで、ファイバホルダに対する切断部材および可動切断部材による切断位置すなわち被覆除去の開始位置が決まる。よって、予めファイバカッタによる切断で光ファイバのファイバホルダからの突出長を決めておくことにより、ベースに支持された光ファイバの被覆材を切断部材および可動切断部材により切断し、その後、ホルダ保持体をファイバホルダとともにベースから離間させて被覆材を除去させると、ファイバホルダに対し位置決めされた状態で所望の被覆除去部分が得られる。
このように、ファイバホルダに対し被覆除去部分を正確に位置決めしつつ形成することができる。
【図面の簡単な説明】
【図１】  本発明の一の実施の形態による光ファイバ被覆除去器を示す斜視図である。
【図２】  本発明の一の実施の形態による光ファイバ被覆除去器の正面図である。
【図３】  本発明の一の実施の形態による光ファイバ被覆除去器の被覆除去後の状態を示すもので、（ａ）は正面図、（ｂ）は平面図、（ｃ）は（ａ）を左方から見た側面図である。
【図４】  本発明の一の実施の形態による光ファイバ被覆除去器のホルダ保持体を示すもので、（ａ）は正面図、（ｂ）は平面図、（ｃ）は（ｂ）を左方から見た側面図、（ｄ）は（ｂ）を右方から見た側面図である。
【符号の説明】
１１…光ファイバ被覆除去器、１２…光ファイバ心線（光ファイバ）、１２ｂ…被覆材、１３…ファイバホルダ保持体、１７…突起、１９…ベース、２１…可動支持体、２２…ホルダ保持体、２５…切断部材、２７…スプリング、３０…可動切断部材、３５…基板部、３６…係止部、３７…凹部。
【図１】
0003859813.tif 000002
【図２】
0003859813.tif 000003
【図３】
0003859813.tif 000004
【図４】
0003859813.tif 000005